(57)【要約】      （修正有）【課題】容易に患部に当てることができ、大きな力も必要なく指圧力を調整できる安価なマッサージ器具を提供する。【解決手段】ハンドル１の先に所定の角度を有しアーム３を設け、アームの先には指圧子４を設ける。ハンドルとアームの結合部にはハンドルとアームに直交する方向に伸びた足２を設ける。この足を梃子の支点とすることにより倒れることなく軽い力で指圧力を調整でき、接地面積も広くなり、マットへの負担も軽減することができる。また、ハンドルを上下に揺さぶることによってもむ動作も行える。【選択図】図１
0003191305.tif 000002
【実用新案登録請求の範囲】
【請求項１】
ハンドルの先に所定の角度を有してアームを接合しアームの先には指圧子を設ける。前記ハンドルとアームの結合した部分には、ハンドルとアームの長手方向と直行する方向に伸びた足を設け梃子の支点としたことを特徴とするマッサージ器具。
【請求項２】
前記アームと指圧子にネジを設け取り付け、指圧子の位置の調整と交換を可能とした請求項1のマッサージ器具。
【請求項３】
ハンドルに長さ調整用の延長ハンドルを取り付けた、請求項1及び請求項2のマッサージ器具。
【請求項４】
ハンドルのグリップ部分を球状とした請求項1及び請求項2、請求項3のマッサージ器具。
【考案の詳細な説明】
【技術分野】
【０００１】
本考案は、梃子を利用したマッサージ器具に関するものである。
【背景技術】
【０００２】
従来より、棒の先に指圧子を設けたものがある。
【先行技術文献】
【特許文献】
【０００３】
【特許文献１】実用新案登録３１６７１８５号広報
【特許文献２】特開２０１１−１０４３２６号公開
【特許文献３】特開２０００−６０９３８号公開
【特許文献４】登録実用新案第３１６９０４８号広報
【考案の概要】
【考案が解決しようとする課題】
【０００４】
従来より、棒の先に指圧子を設けたものはあったが、指圧力の調整ができなかったり、指圧に力が必要だったり、位置の移動などが簡単にできないなどの問題があった。
例えば、
特許文献１は、患者の体系により異なる大きさが必要であったり、マット側の負担も大きかったり、使う場所によっては不安定である。また大きく保管や持ち運びも不便である。
特許文献２は、指圧力の調整ができない。
特許文献３は、腰など体の後部、を指圧する際、自分では力を入れにくい。また大きく保管や持ち運びに不便である。
特許文献４は、指圧力の調整がかぎられている。
【課題を解決するための手段】
【０００５】
本考案は、ハンドルの先に所定の角度を有してアームを接合し、アームの先端に指圧子を設け、ハンドルとアームの接合部分にはハンドル及びアームの長手方向と直行する方向に伸びる足を設け梃子の支点としたものである。
【０００６】
アームの先にネジを設け、指圧子を取り付けることによって、指圧子の位置を調整でき、また脱着可能とする
【０００７】
ハンドルには長さ調節用の延長ハンドルを設ける。
【０００８】
ハンドルに球状のグリップを設ける。
【考案の効果】
【０００９】
左右に伸びた足によりマッサージ器具が安定し、梃子の動作でハンドルの上下を調整することにより指圧力を自由に幅広く調整できる。左右に伸びた足により、支点の接地面積も広くなり、マット側のへこみを減らすとともにマットの損傷も軽減できる。
【００１０】
ハンドルを上下に揺さぶることによって、もむ動作も行える。
【００１１】
ハンドルが有ることにより指圧の位置を簡単に移動させることができ、延長ハンドルを伸ばせば、遠いところも指圧することができる。
【００１２】
ネジで指圧子を取り付けることにより、指圧子の位置を調整できる。また脱着可能とすることで形状や硬さの異なるものと交換もでき、好みの感触でマッサージを行うことができる。
【００１３】
ハンドルのグリップ部分を球状とすることで、色々な方向から握りやすくなり、操作もしやすくなるとともに、グリップ側でもマッサージが行える。
【００１４】
必要最小限のコンパクトな形状となり、安価で、操作性が良く、持ち運びや収納性の良いマッサージ器具である。
【図面の簡単な説明】
【００１５】
【図１】本考案の斜視図
【図２】本考案の側面図
【図３】本考案の指圧子の取り付け部の断面図
【図４】延長ハンドルを設けた斜視図
【図５】延長ハンドルと球状のグリップを設けた斜視図
【図６】球状のグリップの使用状態を示した図
【図７】患部への使用状態を示した図
【図８】腰への使用状態を示した図
【図９】肩への使用状態を示した図
【図１０】ふくらはぎへの使用状態を示した図
【考案を実施するための形態】
【００１６】
以下、本考案の実施の形態を図に基づいて説明する。
【実施例】
【００１７】
図1、図2に示すように、ハンドル1の先に所定の角度Cを有してアーム3を設ける。アーム３の先には指圧子４を設ける。ハンドル1とアーム3の接合部にはハンドル1とアーム3に直角な方向に足2を設け梃子の支点とする。
【００１８】
図3に示すように、アーム3には、ネジ5が設けてあり、指圧子4に設けたネジ6と接合することにより、指圧子4を交換できるため、形状や硬さの異なったものを取り付けることができる。また、ネジのしめ具合による位置の調整で指圧力の調整もできる。
【００１９】
図7に示すように、使用時は寝ころんだ体7の下に本マッサージ器具を置き、ハンドル1を操作し患部8に指圧子4を当てた後に、ハンドル1を矢印Aの方向に操作することにより、指圧子4が矢印Bの方向に動き、指圧力を調整することができる。
【００２０】
図4に示すように、ハンドル1に、長さ調整用の延長ハンドル9を取り付ければ、遠い位置にも使用できる。
【００２１】
図5、図6に示すように、ハンドル9の先端に球状のグリップ10を設けることにより色々な方向からも握りやすくなり操作性も良くなる。
【産業上の利用可能性】
【００２２】
本考案は、マッサージ師や他の人に使用して貰うこともできるが、自分自身でマッサージすることができる。指圧器具である。
【符号の説明】
【００２３】
1、ハンドル
2、足
3、アーム
4、指圧子
5、6、ネジ
7、体
8、患部
9、延長ハンドル
10、グリップ
11、マット
A、操作方向
B、作用方向
C、角度
【図１】
0003191305.tif 000003
【図２】
0003191305.tif 000004
【図３】
0003191305.tif 000005
【図４】
0003191305.tif 000006
【図５】
0003191305.tif 000007
【図６】
0003191305.tif 000008
【図７】
0003191305.tif 000009
【図８】
0003191305.tif 000010
【図９】
0003191305.tif 000011
【図１０】
0003191305.tif 000012
【手続補正書】
【提出日】平成26年4月5日(2014.4.5)
【手続補正１】
【補正対象書類名】実用新案登録請求の範囲
【補正対象項目名】全文
【補正方法】変更
【補正の内容】
【実用新案登録請求の範囲】
【請求項１】
ハンドルの先に所定の角度を有してアームを接合しアームの先には指圧子を設け、前記ハンドルとアームの結合した部分には、ハンドルとアームの長手方向と直交する方向に伸びた足を設け梃子の支点としたことを特徴とするマッサージ器具。
【請求項２】
前記アームと指圧子にネジを設け取り付け、指圧子の位置の調整と交換を可能とした請求項1のマッサージ器具。
【請求項３】
ハンドルに長さ調整用の延長ハンドルを取り付けた、請求項1又は2に記載のマッサージ器具。
【請求項４】
ハンドルのグリップ部分を球状とした請求項1〜3の何れか1項に記載のマッサージ器具。